(57)【要約】      （修正有）【課題】外カバーを電気コネクタとケーブルの外表面を被覆するよう成形する時に、そのプラスチック溶液が該シールドケースの固定孔中に流入し、成形後の外カバーとシールドケース間の相互の接続固定を形成し、外カバーに弛み或いは反り返りの状況を発生させないケーブルコネクタアセンブリの提供。【解決手段】電気コネクタと、該電気コネクタの後側に取り付けられて電気コネクタと電気的に接続されたケーブル、及びケーブルと電気コネクタ外表面を被覆するよう成形された外カバーを具えている。電気コネクタは絶縁本体、該絶縁本体に取り付けられる複数の接触端子、及びその外側を被覆するシールドケースで組成される。該シールドケースの任意の外側表面に複数の固定孔が設けられ、並びに固定孔に対応する部分にシールド片が形成される。【選択図】図１
0003108062.tif 000002
【実用新案登録請求の範囲】
【請求項１】
電気コネクタ、ケーブル、外カバーを具え、該電気コネクタは絶縁本体、該絶縁本体に取付られた複数の接触端子、絶縁本体外側部分を被覆するシールドケースを具え、該ケーブルは該電気コネクタの後側に取付られ、並びに電気コネクタと電気的に接続され、該外カバーはケーブルと電気コネクタの外表面部分を被覆するケーブルコネクタアセンブリにおいて、
該シールドケースの任意の外側表面に複数の固定孔が設けられると共に、該固定孔に対応する部分にシールド片が形成され、外カバーがケーブル及び電気コネクタの外表面部分を被覆するよう形成される時、そのプラスチック溶液が固定孔中に流入し、外カバーとシールドケースを相互に挟持固定させることを特徴とする、ケーブルコネクタアセンブリ。
【請求項２】
請求項１記載のケーブルコネクタアセンブリにおいて、絶縁本体の両側の上下位置に係合溝と係合ブロックが設けられ、シールドケースの係合溝に対応する位置に嵌合片が形成され、該シールドケースの該係合ブロックに対応する位置に嵌合孔が形成されたことを特徴とする、ケーブルコネクタアセンブリ。
【請求項３】
請求項１又は請求項２記載のケーブルコネクタアセンブリにおいて、シールドケースが上シールドケースと下シールドケースで構成され、上シールドケースと下シールドケースの両側部分が折り曲げられて側板が形成されたことを特徴とする、ケーブルコネクタアセンブリ。
【請求項４】
請求項１記載のケーブルコネクタアセンブリにおいて、接触端子は前端の接触部、後端に位置するソルダー部、及び接触部とソルダー部の間に位置する弾性部で構成され、接触部は絶縁本体の前側より突出し、接続される電気コネクタと接触し導通し、該ソルダー部は絶縁本体の後側より突出し、並びにプリント回路板に半田付けされて導通することを特徴とする、ケーブルコネクタアセンブリ。
【請求項５】
請求項１記載のケーブルコネクタアセンブリにおいて、電気コネクタが絶縁本体に取付られた一対の固定片を具えて接続される電気コネクタと相互に固定されることを特徴とする、ケーブルコネクタアセンブリ。
【考案の詳細な説明】
【技術分野】
【０００１】
本考案は一種のケーブルコネクタアセンブリに係り、特にケーブルコネクタアセンブリのシールドケースと外カバーの間の組合せ構造に関する。
【背景技術】
【０００２】
一般にケーブルコネクタアセンブリの製造には二種類の方式があり、その一つはケーブルと電気コネクタの結合部分が型内に置かれ並びにプラスチックを注入し一体成形するもので、そのほとんどは比較的小さいケーブルコネクタの製造に用いられ、もう一つは二つの単独成形されたカバーを相互に組み合わせて一体とし、ケーブルと電気コネクタの結合部分をそのなかに被覆する、というものである。そのうち、第１種の方法の周知の技術は、ケーブルと電気コネクタの電気的接続後に、電気コネクタの後側にプラスチック内カバーを一体成形して、ケーブルと電気コネクタを固着し、その後、更に内カバー外側に外カバーを一体成形してケーブルコネクタを得る。
【０００３】
上述の周知の技術のケーブルコネクタアセンブリは、外カバーと電気コネクタの間に結合手段がなく、長時間ケーブルが引っ張られる状況下で、ケーブルと電気コネクタの外側を被覆する外カバーにゆるみや反り返りの現象が発生し、特に外カバーの前端部分でひどく、特にケーブルコネクタアセンブリのケーブルと電気コネクタが離脱してしまうことさえある。
【考案の開示】
【考案が解決しようとする課題】
【０００４】
本考案の主要な目的は、一種のケーブルコネクタアセンブリを提供することにあり、それは、ケーブルコネクタアセンブリのシールドケースと外カバーの間の保持力を増して両者の組合せを強固で信頼性のあるものとし、外カバーに弛みや反り返りの情況を発生させないケーブルコネクタアセンブリであるものとする。
【課題を解決するための手段】
【０００５】
請求項１の考案は、電気コネクタ、ケーブル、外カバーを具え、該電気コネクタは絶縁本体、該絶縁本体に取付られた複数の接触端子、絶縁本体外側部分を被覆するシールドケースを具え、該ケーブルは該電気コネクタの後側に取付られ、並びに電気コネクタと電気的に接続され、該外カバーはケーブルと電気コネクタの外表面部分を被覆するケーブルコネクタアセンブリにおいて、
該シールドケースの任意の外側表面に複数の固定孔が設けられると共に、該固定孔に対応する部分にシールド片が形成され、外カバーがケーブル及び電気コネクタの外表面部分を被覆するよう形成される時、そのプラスチック溶液が固定孔中に流入し、外カバーとシールドケースを相互に挟持固定させることを特徴とする、ケーブルコネクタアセンブリとしている。
請求項２の考案は、請求項１記載のケーブルコネクタアセンブリにおいて、絶縁本体の両側の上下位置に係合溝と係合ブロックが設けられ、シールドケースの係合溝に対応する位置に嵌合片が形成され、該シールドケースの該係合ブロックに対応する位置に嵌合孔が形成されたことを特徴とする、ケーブルコネクタアセンブリとしている。
請求項３の考案は、請求項１又は請求項２記載のケーブルコネクタアセンブリにおいて、シールドケースが上シールドケースと下シールドケースで構成され、上シールドケースと下シールドケースの両側部分が折り曲げられて側板が形成されたことを特徴とする、ケーブルコネクタアセンブリとしている。
請求項４の考案は、請求項１記載のケーブルコネクタアセンブリにおいて、接触端子は前端の接触部、後端に位置するソルダー部、及び接触部とソルダー部の間に位置する弾性部で構成され、接触部は絶縁本体の前側より突出し、接続される電気コネクタと接触し導通し、該ソルダー部は絶縁本体の後側より突出し、並びにプリント回路板に半田付けされて導通することを特徴とする、ケーブルコネクタアセンブリとしている。
請求項５の考案は、請求項１記載のケーブルコネクタアセンブリにおいて、電気コネクタが絶縁本体に取付られた一対の固定片を具えて接続される電気コネクタと相互に固定されることを特徴とする、ケーブルコネクタアセンブリとしている。
【考案の効果】
【０００６】
本考案のケーブルコネクタアセンブリは、ケーブルコネクタアセンブリのシールドケースと外カバーの間の保持力を増して両者の組合せを強固で信頼性のあるものとし、外カバーに弛みや反り返りの情況を発生させない。
【考案を実施するための最良の形態】
【０００７】
本考案のケーブルコネクタアセンブリは、電気コネクタと、該電気コネクタの後側に取り付けられて電気コネクタと電気的に接続されたケーブル、及びケーブルと電気コネクタ外表面を被覆するよう成形された外カバーを具えている。電気コネクタは絶縁本体、該絶縁本体に取り付けられる複数の接触端子、及びその外側を被覆するシールドケースで組成される。該シールドケースの任意の外側表面に複数の固定孔が設けられ、並びに固定孔に対応する部分にシールド片が形成され、これにより外カバーを電気コネクタとケーブルの外表面を被覆するよう成形する時に、そのプラスチック溶液が該シールドケースの固定孔中に流入し、成形後の外カバーとシールドケース間の相互の接続固定を形成し、外カバーに弛み或いは反り返りの状況を発生させない。
【実施例１】
【０００８】
本考案のケーブルコネクタアセンブリ１００は、図１に示されるように、電気コネクタ１０、ケーブル２０及びケーブル２０と電気コネクタ１０の外表面を被覆する外カバー３０が組み合わされてなる。そのうち、ケーブル２０は電気コネクタ１０の後側に取り付けられ並びに電気コネクタ１０と電気的に接続される。
【０００９】
電気コネクタ１０は絶縁本体１を具え、絶縁本体１にその前側部分より後側部分に延伸された複数の端子チャネル１１が設けられ、該絶縁本体１の前側の両端に前向きに突出する案内柱１２が設けられ、案内柱１２内に前側部分より後側部分に延伸されたスロット１２１が設けられ、絶縁本体１の両側の上下位置部分に係合溝１３と係合ブロック１４が設けられている。
【００１０】
また、絶縁本体１に更に複数の接触端子２と一対の固定片３が設けられている。これら接触端子２は後側の端子チャネル１１より絶縁本体１内に挿入される。接触端子２は前端の接触部２１、後端に位置するソルダー部２２、及び接触部２１とソルダー部２２の間に位置する弾性部２３で構成されている。接触部２１は絶縁本体１の前側より突出し、接続される電気コネクタ（図示せず）と接触し導通する。該ソルダー部２２は絶縁本体１の後側より突出し、並びにプリント回路板４に半田付けされて導通する。二つの固定片３は絶縁本体１の底側部分のスロット１２１より挿入され、並びに固定片３の前端が案内柱１２の前側のスロット１２１より外部に突出し、接続される電気コネクタと固定され、固定片３の後端はプリント回路板４に挿嵌位置決めされる。
【００１１】
図１に示されるように、本考案中、該電気コネクタ１０は絶縁本体１の外側部分がシールドケース５に被覆され、本実施例中、シールドケース５は上シールドケース５１と下シールドケース５２で構成されている。上シールドケース５１と下シールドケース５２の両側部分はそれぞれ折り曲げられて側板５１１、５２１が形成されている。そのうち、下シールドケース５２の側板５２１の絶縁本体１に設けられた係合溝１３に対応する位置に内向きに嵌合片５２２が加圧加工され、上シールドケース５１の側板５１１の絶縁本体１の係合ブロック１４に対応する部分に嵌合孔５１２が開設されている。
【００１２】
本考案の特徴は、上シールドケース５１及び下シールドケース５２の任意の外表面に複数の固定孔５１３、５２３が開設され、また固定孔５１３、５２３に対応部分する部分にシールド片５１４、５２４が形成されていることにある。
【００１３】
図１から３を併せて参照されたい。本考案を組み立てる時は、まず複数の接触端子２のソルダー部２２をプリント回路板４に半田付けし、並びにケーブル２０と接触導通させ、一対のと固定片３の後端もプリント回路板４に挿嵌位置決めし、更にこれら接触端子２と固定片３を絶縁本体１の端子チャネル１１及びスロット１２１に挿入し、接触端子２の接触部２１と固定片３の前端を絶縁本体１の前側より外部に突出させる。続いて、上シールドケース５１及び下シールドケース５２で絶縁本体１を被覆し、下シールドケース５２に加圧加工された嵌合片５２２を絶縁本体１に設けられた係合溝１３に嵌合させ、絶縁本体１に設けられた係合ブロック１４を上シールドケース５１に設けられた嵌合孔５２中に係合させる。
【００１４】
この時、シールドケース５に被覆されるプリント回路板４とケーブル２０の間に内カバー６が被覆成形され、この内カバー６の成形により、ケーブル２０が保持される。最後にシールドケース５及びケーブル２０の前側位置に外カバー３０を成形し、該外カバー３０を利用して電気コネクタ１０とケーブル２０の間に良好な保持力を具備させ、電気コネクタ１０とケーブル２０を強固に接続する。被覆成形時に、プラスチック溶液はシールドケース５及びケーブル２０の外表面部分にあって外カバー３０を形成するほか、そのプラスチック溶液はまたシールドケース５の固定孔５１３、５２３中に流入して固定を形成し、外カバー３０と絶縁本体１が相互に挟持固定され、これによりケーブルコネクタアセンブリ１００の組立がほぼ完成し、図３に示されるようである。
【００１５】
本考案中、シールドケース５に固定孔５１３、５２３が設けられて外カバー３０の被覆成形時に、そのプラスチック溶液が固定孔５１３、５２３中にも流入し、成形後の外カバー３０と絶縁本体の間の相互接続固定が形成され、これにより外カバー３０の弛みや反り返りの情況を発生しない。また、該固定孔５１３、５２３中にシールド片５１４、５２４が保留され、該シールド片５１４、５２４が電磁干渉防止の効果を有する。
【００１６】
総合すると、本考案のケーブルコネクタアセンブリは上述の記載の構造により上述の作用効果を達成する。且つ本考案はその出願前に未公開であり、ゆえに実用新案登録の要件を具備している。
【００１７】
なお、以上の実施例は本考案の範囲を限定するものではなく、本考案に基づきなしうる細部の修飾或いは改変は、いずれも本考案の請求範囲に属するものとする。
【図面の簡単な説明】
【００１８】
【図１】本考案のケーブルコネクタアセンブリの立体分解図である。
【図２】本考案のケーブルコネクタアセンブリの電気コネクタの立体外観図である。
【図３】本考案のケーブルコネクタアセンブリの立体外観図である。
【符号の説明】
【００１９】
１００  ケーブルコネクタアセンブリ          １０  電気コネクタ
２０  ケーブル                              ３０  外カバー
１  絶縁本体                                １１  端子チャネル
１２  案内柱                                １２１  スロット
１３  係合溝                                １４  係合ブロック
２  接触端子                                ２１  接触部
２２  ソルダー部                            ２３  弾性部
３  固定片                                  ４  プリント回路板
５  シールドケース                          ５１  上シールドケース
５２  下シールドケース                      ５１１、５２１  側板
５１２  嵌合孔                              ５２２  嵌合片
５１３、５２３  固定孔                      ５１４、５２４  シールド片
６  内カバー
【図１】
0003108062.tif 000003
【図２】
0003108062.tif 000004
【図３】
0003108062.tif 000005